(57)【要約】【課題】金属部材に無線通信モジュールを支持する構成において、照明器具における無線通信性能を高くでき、かつ、金属部材より無線通信モジュール側への異物の進入を防止できる照明器具を提供することである。【解決手段】照明器具は、光源部３０と、制御装置と無線による通信を行うためのアンテナを有する無線通信モジュール４０と、無線通信モジュールを介して制御装置から受信した指示に従って光源部に電力を供給する電源回路部とを含む。無線通信モジュール４０は金属部材に支持され、金属部材にはスリット２３が形成される。スリット２３は、アンテナの励振方向に対し直交する方向に伸びており、スリットと無線通信モジュールとを結び、かつスリット側に直線状に延長される直線Ｌ上に、電波を透過させる電波透過部材が配置される。【選択図】図１１
2019022177.tif 000002
【特許請求の範囲】
【請求項１】
光源部と、
制御装置と無線による通信を行うためのアンテナを有する無線通信モジュールと、
前記無線通信モジュールを介して前記制御装置から受信した指示に従って前記光源部に電力を供給する電源回路部とを備え、
前記無線通信モジュールは、金属部材に支持され、
前記金属部材には、スリットが形成され、
前記スリットは、前記アンテナの励振方向に対し直交する方向に伸びており、
前記スリットと前記無線通信モジュールとを結び、かつ前記スリット側に直線状に延長される直線上に、電波を透過させる電波透過部材が配置される、照明器具。
【請求項２】
前記電波透過部材は白系統色であり、前記光源部からの光を反射する、
請求項１に記載の照明器具。
【請求項３】
前記電波透過部材は、難燃材により形成され、かつ、前記光源部からの光を反射する、
請求項１または請求項２に記載の照明器具。
【請求項４】
前記スリットの長手方向は、前記金属部材の長手方向と一致しており、
前記光源部から発した熱が前記金属部材に放熱される、
請求項１から請求項３のいずれか１項に記載の照明器具。
【請求項５】
前記光源部は、非金属材料製のＬＥＤ基板、金属製のＬＥＤグランド板及び複数の発光素子を有するＬＥＤモジュールを含んで構成され、
前記電波透過部材は、前記ＬＥＤ基板であり、
前記金属部材の表面に、前記ＬＥＤ基板及び前記ＬＥＤグランド板が重なって配置され、
前記ＬＥＤ基板の幅は、前記ＬＥＤグランド板の幅よりも長く、
前記スリットは、前記ＬＥＤ基板と前記ＬＥＤグランド板とが重ならない位置に配置される、
請求項１から請求項４のいずれか１項に記載の照明器具。
【請求項６】
前記光源部は、非金属材料製のＬＥＤ基板、金属製のＬＥＤグランド板及び複数の発光素子を有するＬＥＤモジュールを含んで構成され、
前記電波透過部材は、前記ＬＥＤ基板であり、
前記ＬＥＤグランド板は、前記スリットを囲うように配置され、
前記ＬＥＤグランド板には、前記スリットの全部を囲うように窓部が形成される、
請求項１から請求項４のいずれか１項に記載の照明器具。
【請求項７】
前記無線通信モジュールにおいて、前記アンテナの使用周波数がサブギガヘルツ帯である、
請求項１から請求項６のいずれか１項に記載の照明器具。
【請求項８】
前記無線通信モジュールは、前記電源回路部と隣り合って配置され、
前記無線通信モジュールと前記電源回路部とは、コネクタまたは電線により電気的に接続される、
請求項１から請求項７のいずれか１項に記載の照明器具。
【請求項９】
無線通信モジュールをそれぞれ有する複数の照明器具と、前記無線通信モジュールへ無線信号を送信させる制御装置とを備え、
前記複数の照明器具のそれぞれが、請求項１から請求項８のいずれか１項に記載の照明器具である、
照明制御システム。
【発明の詳細な説明】
【技術分野】
【０００１】
本開示は、照明器具及び照明制御システムに関する。
【背景技術】
【０００２】
近年、施工の手間を少なくし、かつ、省エネルギー化を図る観点から照明器具の照明を無線で制御することが増加している。照明器具を無線で制御する場合に、意匠性、製造容易化、コストの観点から、無線通信モジュールを照明器具の筐体内に内蔵することが望まれる。一方、照明器具が金属筐体内に無線通信モジュールを内蔵する場合には、無線通信性能が低下する可能性がある。金属筐体の代わりに樹脂等の電波に対して影響の少ない部材を使用することが考えられるが、この場合には、筐体の強度、耐熱性、電気用品安全法に対する適合性、製造コスト低減のすべてを満足させることが困難である場合がある。
【０００３】
特許文献１には、光源部に電力を供給する電源回路と、リモートコントローラからアンテナが受信した無線信号に含まれる所定のコマンドを取得し、そのコマンドに応じて電源回路を制御する無線モジュールとを備える照明器具が記載されている。照明器具は、電源回路及び無線モジュールを収納する金属筐体を備える。金属筐体には、スリット状の開口部が形成され、その開口部とアンテナとは、アンテナから放射される電波の最も強い偏波面と開口部から放射される電波の最も強い偏波面とが略一致するように配置されている。特許文献１には、Ｌ字形アンテナの直線状の根元部が開口部の長辺方向に対し垂直になることも記載されている。
【先行技術文献】
【特許文献】
【０００４】
【特許文献１】特開２０１６−５８１６７号公報
【発明の概要】
【発明が解決しようとする課題】
【０００５】
特許文献１に記載された構成によれば、金属筐体に開口部を形成することにより無線モジュールでの無線通信性能を高くできることが考えられる。しかしながら、金属筐体に開口部が形成されることで、その開口部を通じて、虫、埃等の異物が無線通信モジュール側に進入する可能性がある。
【０００６】
本開示の目的は、金属部材に無線通信モジュールを支持する構成において、照明器具における無線通信性能を高くでき、かつ、金属部材より無線通信モジュール側への異物の進入を防止できる照明器具及び照明制御システムを提供することである。
【課題を解決するための手段】
【０００７】
本開示に係る照明器具は、光源部と、制御装置と無線による通信を行うためのアンテナを有する無線通信モジュールと、無線通信モジュールを介して制御装置から受信した指示に従って光源部に電力を供給する電源回路部とを備え、無線通信モジュールは、金属部材に支持され、金属部材には、スリットが形成され、スリットは、アンテナの励振方向に対し直交する方向に伸びており、前記スリットと前記無線通信モジュールとを結び、かつ前記スリット側に直線状に延長される直線上に、電波を透過させる電波透過部材が配置される。
【０００８】
本開示に係る照明制御システムは、無線通信モジュールをそれぞれ有する複数の照明器具と、無線通信モジュールへ無線信号を送信させる制御装置とを備え、複数の照明器具のそれぞれが、本開示に係る照明器具である。
【発明の効果】
【０００９】
本開示に係る照明器具及び照明制御システムによれば、金属部材に無線通信モジュールを支持する構成において、金属部材に形成されたスリットがアンテナの励振方向に対し直交する方向に伸びている。これにより、無線通信モジュールから電波を効率よく金属部材から外側の空間へ放出できる。また、スリットから無線通信モジュール側への異物の進入は、電波透過部材により防止できる。このため、照明器具における無線通信性能を高くでき、かつ、金属部材より無線通信モジュール側への異物の進入を防止できる。
【図面の簡単な説明】
【００１０】
【図１】本開示の一実施形態の照明器具を含む照明制御システムの構成図である。
【図２】本開示の一実施形態の照明器具において、光源部及び透光カバーを取り外して下側から見た斜視図である。
【図３】図２に示す照明器具を上側から見た斜視図である。
【図４】図２に示す照明器具を真下から見た図である。
【図５】図２に示す照明器具を長手方向一方側から見た図である。
【図６】本開示の一実施形態の照明器具を構成する照明装置の長手方向中間部において、透光カバーを取り外して下側から見た図である。
【図７】図６のＡ部拡大図である。
【図８】図７に示す照明装置から光源部を取り外して示している透視図である。
【図９】図８に示す照明装置において、金属部材である照明筐体の長手方向一部に電源回路部及び無線通信モジュールが取り付けられた状態を示している斜視図である。
【図１０】図８に示す照明装置を紙面の裏側から見た図である。
【図１１】図７のＢ−Ｂ断面図である。
【図１２】実施形態の別例の照明器具において、図４に対応する図である。
【図１３】実施形態の別例の照明器具において、スリットにおいて、照明筐体の厚み方向一方側にシートを配置した構成を示している模式図である。
【図１４】実施形態の別例の照明器具において、スリットにおいて、照明筐体の厚み方向一方側に網部材を配置した状態を示している模式図である。
【図１５】実施形態の別例の照明器具において、スリットに誘電体を埋め込んだ状態を示している模式図である。
【図１６】図１５のＣ−Ｃ断面図である。
【図１７】実施形態の別例の照明器具において、図４の左半部拡大相当図である。
【図１８】図１７に示す照明器具に光源部を取り付けた状態でのＤ−Ｄ断面相当図である。
【図１９】実施形態の別例の照明器具において、ＬＥＤ基板の一部を切断して示している図７に対応する図である。
【図２０】図１９のＥ−Ｅ断面図である。
【図２１】実施形態の別例の照明器具において、下側から見た透視図である。
【図２２】実施形態の別例の照明器具において、下側から見た透視図である。
【発明を実施するための形態】
【００１１】
以下に、本開示に係る実施の形態について添付図面を参照しながら詳細に説明する。この説明において、具体的な形状、材料、個数、方向等は、本開示の理解を容易にするための例示であって、照明器具または照明制御システムの仕様に合わせて適宜変更することができる。また、以下において複数の実施形態や変形例などが含まれる場合、それらの特徴部分を適宜に組み合わせて用いることは当初から想定されている。以下では、すべての図面において同様の要素には同一の符号を付して説明する。
【００１２】
図１〜図１１を用いて、本開示の一実施形態の照明器具及びこの照明器具を含む照明制御システムを説明する。図１は、本開示の一実施形態の照明器具１１を含む照明制御システム１０の構成図である。照明制御システム１０は、複数の照明器具１１と、照明制御機器１００とを備える。図１では４つの照明器具１１を示しているが、２以上の照明器具１１であれば、その個数は任意に変更できる。また、照明制御システムが、１つのみの照明器具を備えることもできる。複数の照明器具１１の構成は同じである。このため、照明器具１１の構成として、１つの照明器具１１で説明する。
【００１３】
照明器具１１は、ライン状光源を有する照明器具であり、器具筐体１３（図２）を有する器具本体１２（図２）と、照明装置２０とを含んで構成される。照明装置２０は、照明筐体２１（図２）、光源部３０、無線通信モジュール４０、及び電源回路部４５を有する。照明筐体２１は、金属部材に相当する。また、後述するように、照明筐体２１には、無線通信モジュール４０の無線通信性能を高くするためのスリット２３（図２等）が形成される。照明器具１１は、天井、壁等の所定の設置位置に固定して設置される。以下では、照明器具１１が天井の設置位置に固定される場合について説明する。
【００１４】
照明制御機器１００は、各照明器具１１の光源部３０の照明動作を制御する機器であり、操作部１０１と、操作部１０１に接続された制御装置１０２と、制御装置１０２に接続された無線通信モジュール１０３とを含んで構成される。照明制御機器１００は、例えば壁等の所定の設置位置で各照明器具１１から離れた位置に固定される。操作部１０１は、ユーザにより操作可能に構成される。ユーザによって操作部１０１が操作されることに応じて、制御装置１０２は無線通信モジュール１０３により、各照明器具１１に光源部３０の照明動作を指示する光源制御信号を無線で送信させる。その光源制御信号は各照明器具１１の無線通信モジュール４０のアンテナ４２（図１０）で受信され、無線通信モジュール４０が有する制御部４３（図１０）が、制御装置１０２から受信した指示に応じて、電源回路部４５を動作させる。電源回路部４５は、光源部３０に接続されており、無線通信モジュール４０を介して照明制御機器１００の制御装置１０２から受信した指示に従って光源部３０に電力を供給する。これにより、各照明器具１１の光源部３０は、制御装置１０２により、発光状態が制御される。
【００１５】
制御装置１０２は、演算処理部、メモリ等の記憶部、及び、Ｉ／Ｏインターフェースなどを備えるマイクロコンピュータによって好適に構成される。制御装置１０２は、記憶部に記憶されたプログラム、データ等を読み出して、所定の動作を実行する。制御装置１０２がプログラムを実行することによって、本開示における装置、システム、または方法の主体の機能が実現される。制御装置１０２は、プログラムに従って動作するプロセッサ（演算処理部）を主なハードウェア構成として備える。
【００１６】
プロセッサは、プログラムを実行することによって機能を実現することができれば、その種類は問わない。プロセッサは、半導体集積回路（ＩＣ）、又はＬＳＩ（large scale integration）を含む１つまたは複数の電子回路で構成される。複数の電子回路は、１つのチップに集積されてもよいし、複数のチップに設けられてもよい。複数のチップは１つの装置に集約されていてもよいし、複数の装置に備えられていてもよい。記憶部は、演算処理部が読み取り可能なＲＯＭ等である。メモリの代わりに、記憶部として、光ディスク、ハードディスクドライブなどの非一時的記録媒体が用いられてもよい。プログラムは、記録媒体に予め格納されていてもよいし、インターネット等を含む広域通信網を介して記録媒体に供給されてもよい。
【００１７】
照明器具１１の電源回路部４５は、上記の制御装置１０２により動作が制御され、外部交流電源からの電圧を直流電圧に変換して光源部３０に供給する。これにより光源部３０が発光等の動作を行う。光源部３０は、後述するように例えば複数の発光素子を含んで構成される。
【００１８】
次に、図２から図１１を用いて、照明器具１１を詳しく説明する。図２は、実施形態の照明器具１１において、光源部及び透光カバーを取り外して下側から見た斜視図である。図３は、図２に示す照明器具１１を上側から見た斜視図である。図４は、図２に示す照明器具１１を真下から見た図である。図５は、図２に示す照明器具１１を長手方向一方側から見た図である。
【００１９】
図２〜図５に示すように照明器具１１は、長尺状であり、長手方向一方側から見た形状が、下側に円弧の頂部を有する山形状である。照明器具１１は、天井に固定される器具本体１２と、器具本体１２の下側に取り付けられて固定される照明装置２０（図５）とを含む。
【００２０】
器具本体１２は、器具筐体１３を有する。器具筐体１３は、鉄等の金属板に曲げ加工を施すことにより長尺で、幅方向中央部において、下側に開口する長尺な凹部１４（図２）が形成される。この凹部１４の断面形状は略矩形である。器具本体１２は、凹部１４の底面を含む天板部１５が、吊りボルト（図示せず）によって天井材（図示せず）の下面に固定される。
【００２１】
器具筐体１３の下面の幅方向両側部分には、幅方向外側に向かって上方に傾斜する傾斜部１６が形成される。器具筐体１３の長手方向両端部には、凹部１４の長手方向両端開口を塞ぐキャップ１７が取り付けられる。キャップ１７は、金属材または樹脂材料により形成される。
【００２２】
器具本体１２の凹部１４の内側には、照明装置２０（図５）が取り付けられる。照明装置２０は、照明筐体２１（図２）、光源部３０（図６）、電源回路部４５（図９）、透光カバー４７（図５）、及び無線通信モジュール４０（図９、図１０）を含んで構成される。なお、図２から図４では、照明装置から透光カバー及び光源部を取り外した状態を示している。
【００２３】
図２に示すように照明筐体２１は、金属板に曲げ加工を施すことにより長尺状に形成され、器具筐体１３の断面矩形の凹部１４の内側に嵌り込んで取付可能な形状である。このために、図２、図６、図９に示すように、照明筐体２１は、底板部２２と、底板部２２の幅方向両端から立設する一対の側壁部２４とを有する。図６に示すように、光源部３０は、照明筐体２１の底板部２２の下面に取り付けられる。
【００２４】
図６は、実施形態の照明器具を構成する照明装置の長手方向中間部において、透光カバーを取り外して下側から見た図である。図７は、図６のＡ部拡大図である。図８は、図７に示す照明装置から光源部を取り外して示している透視図である。
【００２５】
光源部３０は、長尺なＬＥＤ基板３１と、ＬＥＤ基板３１の下面（図６、図７の紙面の表側面）の幅方向（図６、図７の上下方向）中央部に配置されたＬＥＤモジュール３２と、ＬＥＤグランド板３３（図１１参照）とを有する。ＬＥＤグランド板３３は、ＬＥＤ基板３１の上面（図６、図７の紙面の裏側面）に配置される。
【００２６】
ＬＥＤ基板３１は、例えば樹脂基板、セラミック基板、またはガラス基板等の非金属材料製基板であって、金属配線が形成されたプリント基板である。ＬＥＤ基板３１の主面（図６、図７の紙面の表側面）には、金属配線が所定形状でパターン形成されている。
【００２７】
ＬＥＤモジュール３２は、複数の発光素子を含んで構成される。複数の発光素子は、個々にパッケージ化された表面実装型のＬＥＤ（発光ダイオード）素子であり、ＬＥＤ基板３１の主面において、長手方向に沿ってほぼ等間隔で複数位置に直線状に並んで配置される。複数の発光素子は、ＬＥＤ基板３１に形成された金属配線によって電気的に接続される。
【００２８】
図１１を参照して、ＬＥＤグランド板３３は、例えば銅等の金属板により形成され、照明筐体２１の表面に接触して配置され、照明筐体２１を介して器具筐体１３（図２）に電気的に接続される。ＬＥＤグランド板３３には、各発光素子が接続され、ＬＥＤグランド板３３が、発光素子で発生する熱を逃がす機能を有する。これにより、光源部３０から発した熱は、ＬＥＤグランド板３３を介して照明筐体２１に放熱される。
【００２９】
図示の例では、複数の光源部３０が長手方向に連結されている。光源部３０の発光素子は、金属配線を介してコネクタ（図示せず）に接続される。このコネクタは、電源回路部４５（図９、図１０）に接続される。
【００３０】
図９は、図８に示す照明装置において、照明筐体２１の長手方向一部に電源回路部４５及び無線通信モジュール４０が取り付けられた状態を示している斜視図である。図１０は、図８に示す照明装置を紙面の裏側から見た図である。
【００３１】
電源回路部４５は、照明筐体２１の上面（図９の上側面、図１０の紙面の表側面）において、長手方向中間部に固定され、上記のコネクタを介して各発光素子に電力を供給する。電源回路部４５は、略直方体状の電源ケースに回路本体が収容されている。図１０では、斜線部により照明筐体２１を示しており、砂地部により電源回路部４５を示している。
【００３２】
無線通信モジュール４０は、電源回路部４５において、照明筐体２１の長手方向における一方側（図９の紙面の表側、図１０の右側）にコネクタを介して接続された状態で、電源回路部４５に一体に固定される。これにより、無線通信モジュール４０は、電源回路部４５と隣り合って配置される。このため、無線通信モジュール４０と電源回路部４５とをつなぐ信号線を短くできるので、コストを低減できる。また、この信号線の長さを短くできることにより、アンテナのインピーダンスの変動を抑制でき、無線通信性能のばらつきを抑制できる。この状態で、図９に示すように、無線通信モジュール４０は、電源回路部４５を介して照明筐体２１に支持される。このとき、無線通信モジュール４０と照明筐体２１とは上下方向に離れており、接触しない。なお、無線通信モジュールと電源回路部とは、コネクタでなく電線により電気的に接続されてもよい。
【００３３】
図１０に示すように、無線通信モジュール４０は、アンテナ４２と、アンテナ４２に接続された制御部４３と、プリント配線基板４４と、コネクタ（図示せず）とを有する。アンテナ４２は、照明制御機器１００の制御装置１０２（図１）と無線による通信を行うために用いられる。アンテナ４２は、無線信号を送信または受信するパターンアンテナであり、プリント配線基板４４に導電パターンとして設けられる。本例では、アンテナ４２は、ステップ状の波形のパターンアンテナである。アンテナ４２の形状は、これに限定せず、略Ｌ字状または直線状としてもよい。制御部４３は、アンテナ４２による無線信号の送信または受信の制御を行う。制御部４３は、照明制御機器１００の制御装置１０２からアンテナ４２で受信した信号に応じて、電源回路部４５を動作させて、光源部３０に電力を供給させる。また、制御部４３は、照明制御機器１００の制御装置１０２からアンテナ４２で受信した信号に応じて、電源回路部４５の動作を停止させて、光源部３０への電力供給を停止させる。これにより、光源部３０の点灯または消灯が制御される。
【００３４】
また、無線通信モジュール４０において、アンテナ４２の使用周波数はサブギガヘルツ帯、例えば１ＧＨｚ未満で、かつ、９００ＭＨｚ以上の周波数帯（例えば９２０ＭＨｚ）である。このような使用周波数では、ギガヘルツ帯の周波数でアンテナを使用する場合に比べて、電波の波長が長くなるので、後述のように長尺なスリット２３（図１０、図１１）を形成して外部への電波の放出性を高くすることによる効果が顕著である。
【００３５】
また、透光カバー４７（図５）は、樹脂材料製であり、光源部３０を覆うように照明筐体２１の下側に取り付けられる。透光カバー４７は、長尺状であり断面形状が略円弧形である。透光カバー４７の長さは、照明筐体２１の長手方向全長とほぼ一致する。透光カバー４７の長手方向両端開口は、樹脂材料製のキャップ（図示せず）により塞がれる。
【００３６】
このような照明装置は、照明筐体２１の凹部１４に嵌め込んで、照明筐体２１に設けられた係合部を、器具筐体１３に設けられた係合部に係合させることにより取り付けられる。例えば一部の係合部は、図１０に示すように照明筐体２１に固定された引っ掛け金具２５である。この引っ掛け金具２５は、器具筐体１３に形成された係止孔（図示せず）に係合される。また、別の係合部は、照明筐体２１に固定されたキックバネ（図示せず）であり、器具筐体１３に固定されたキックバネ受け部（図示せず）の切欠または貫通孔を通じてキックバネの端部が挿入され、その端部がキックバネ受け部に係合される。
【００３７】
さらに、実施形態では、照明筐体２１において、無線通信モジュール４０と対向する部分にスリット２３が形成される。具体的には、図２、図４、図６、図７に示すように、照明筐体２１の底板部２２において、長手方向中間部の幅方向一方側（図４の下側）には、その長手方向に沿うように長尺な長方形のスリット２３が形成される。
【００３８】
図１１は、図７のＢ−Ｂ断面図である。図８、図１０及び図１１に示すように、照明筐体２１に形成されたスリット２３は、無線通信モジュール４０と隙間をあけて対向している。また、図１１に破線矢印αで示すように、無線通信モジュール４０のアンテナの一部（図１１の点Ｐに位置する部分）は、スリット２３の下側開口と直線で結ばれる位置に配置される。なお、アンテナの周囲は、樹脂製のカバーで囲まれ、このカバーを介してスリット２３の下側開口と直線で結ばれる位置に配置されてもよい。また、図１０に示すアンテナ４２の励振方向は、照明筐体２１の長手方向（図１０の左右方向）に対し直交する。これにより、スリット２３は、アンテナ４２の励振方向に対し直交する方向に伸びている。このため、無線通信モジュール４０は、アンテナ４２から電波を効率よく照明器具１１の筐体内から空間へ放出することができ、逆に照明器具１１の筐体外からアンテナ４２に電波を効率よく受け取ることができる。
【００３９】
さらに、図１１に示すように、照明筐体２１のスリット２３の照明筐体２１の上側には、非金属材料製のＬＥＤ基板３１において、金属配線等の金属部が形成されない部分が重ねられている。これにより、スリット２３と無線通信モジュール４０とを結び、かつスリット２３側に延長される直線（図１１の直線Ｌ）上に、電波を透過させる電波透過部材としてのＬＥＤ基板３１が配置される。
【００４０】
上記の照明器具１１及び照明制御システム１０によれば、照明筐体２１に無線通信モジュール４０を支持する構成において、照明筐体２１に形成されたスリット２３がアンテナ４２の励振方向に対し直交する方向に伸びている。これにより、無線通信モジュール４０から電波を効率よく照明筐体２１から外側の空間へ放出できる。また、スリット２３から無線通信モジュール４０側への異物の進入は、電波透過部材としてのＬＥＤ基板３１により防止できる。このため、照明器具１１における無線通信性能を高くでき、かつ、照明筐体２１より無線通信モジュール４０側への虫、埃等の異物の進入を防止できる。
【００４１】
また、ＬＥＤ基板３１を非透明の樹脂基板とする場合には、ＬＥＤ基板３１において発光素子とは反対側に位置するスリット２３を、ＬＥＤ基板３１により隠すことができるので、発光素子の点灯時にスリット２３が影を形成することがない。また、本例の構成では、無線通信モジュール４０が照明筐体２１より発光素子側に突き出すことがないので、発光素子の点灯時に無線通信モジュール４０が影を形成することもない。
【００４２】
さらに、本例の構成では、図４に示すように、スリット２３の長手方向と照明筐体２１の長手方向とが一致しているので、放熱性の低下を抑制できる。具体的には、光源部３０（図６）が発する熱が照明筐体２１に伝達されたときに、スリット２３でその熱伝達が遮られることを抑制できる。これにより、図４に一点鎖線矢印で示すように、その熱を照明筐体２１の長手方向中間部から長手方向の端に逃がしやすい。このとき、熱はスリット２３の両側でスリット２３の長手方向に伝達される。これにより、放熱性の低下を抑制できる。
【００４３】
一方、図１２は、実施形態の別例の照明器具において、図４に対応する図である。この別例の構成では、スリット４８が、照明筐体２１の長手方向に沿う第一直線部４９と、第一直線部４９の一端に直交するように連結された第二直線部５０とを有するＴ字形である。このような構成では、照明筐体２１における熱の伝播経路が第二直線部５０で遮断され、図１２の斜格子で示す部分で熱が溜まりやすくなるので、放熱効果が低下する可能性がある。このために、放熱性の低下を抑制する面からは、図１〜図１１の構成のように、スリット２３を照明筐体２１の長手方向に沿う形状のみとすることが好ましい。
【００４４】
図１３は、実施形態の別例の照明器具において、スリット２３において、照明筐体２１の厚み方向一方側にシート５１を配置した構成を示している模式図である。本例の構成では、スリット２３の一方側、例えば図１１を参照してスリット２３の無線通信モジュール４０側端にシート５１が配置されるように、照明筐体２１にシート５１が固定される。シート５１は、難燃材等の樹脂材料により形成される。例えば難燃材は、９４Ｖ−０相当である。これにより、シート５１は、スリット２３と無線通信モジュール４０とを結び、かつスリット２３側に延長される直線上に配置される。本例では、シート５１が電波透過部材に相当する。シート５１は、スリット２３の開口面積より大きく、スリット２３の開口のすべてを覆う長方形状である。
【００４５】
このようなシートを用いる本例の構成によれば、図１〜図１１の構成と異なり、スリット２３の開口を非金属材料製のＬＥＤ基板３１で覆う必要がない。また、シート５１に難燃材を用いる場合には、光源部３０の熱が伝達されることによる悪影響を防止できる。その他の構成及び作用は、図１〜図１１の構成と同様である。
【００４６】
図１４は、実施形態の別例の照明器具において、スリット２３において、照明筐体２１の厚み方向一方側に網部材５２を配置した状態を示している模式図である。本例の構成では、スリット２３の一方側、例えば図１１を参照してスリット２３の無線通信モジュール４０側端に網部材５２が配置されるように、照明筐体２１に網部材５２が固定される。網部材５２は、樹脂材料製の線材を斜格子上、または格子状に編んで形成される。この場合も、上記の各例の電波透過部材と同様に、網部材５２は、スリット２３と無線通信モジュール４０とを結び、かつスリット２３側に延長される直線上に配置される。本例では、網部材５２が電波透過部材に相当する。その他の構成及び作用は、図１〜図１１の構成、または図１３の構成と同様である。
【００４７】
図１５は、実施形態の別例の照明器具において、スリット２３に誘電体５３を埋め込んだ状態を示している模式図である。図１６は、図１５のＣ−Ｃ断面図である。
【００４８】
本例の構成では、スリット２３に誘電体５３が埋め込まれて、スリット２３に誘電体５３が充填されている。誘電体５３は、例えば樹脂材料、セラミックス等である。この場合も、上記の各例の電波透過部材と同様に、誘電体５３は、スリット２３と無線通信モジュール４０とを結び、かつスリット２３側に延長される直線上に配置される。本例では、誘電体５３が電波透過部材に相当する。
【００４９】
本例の構成によれば、スリット２３に誘電体５３を埋め込むことで、誘電体５３の比誘電率に応じてスリット２３内で電波の波長を短縮させることができる。これにより、アンテナ４２での使用周波数帯が、波長の長いサブギガヘルツ帯である場合でも、スリット２３の全長を比較的小さくして電波を通過させることができる。その他の構成及び作用は、図１〜図１１の構成と同様である。
【００５０】
図１７は、実施形態の別例の照明器具１１ａにおいて、図４の左半部拡大相当図である。図１８は、図１７に示す照明器具に光源部３０を取り付けた状態でのＤ−Ｄ断面相当図である。
【００５１】
本例の構成では、照明筐体２１の下側面である表面に、ＬＥＤ基板３１及びＬＥＤグランド板３３が重なって配置される。また、ＬＥＤ基板３１の幅（図１８の左右方向長さ）は、ＬＥＤグランド板３３の幅より長くなっており、ＬＥＤ基板３１のスリット２３側端（図１８の左端）は、ＬＥＤグランド板３３のスリット２３側端（図１８の左端）よりスリット２３側に伸びている。また、スリット２３は、ＬＥＤ基板３１とＬＥＤグランド板３３とが重ならない位置に配置される。具体的には、ＬＥＤ基板３１がスリット２３を覆っておらず、照明筐体２１の発光素子側面である下側面（図１７の紙面の表側面、図１８の上側面）から露出したスリット２３の開口端は、長方形のシート５１で覆われる。図１７では斜線部によりシート５１を示している。シート５１は、図１３の構成で説明した構成と同様であり、難燃材等である不透明の樹脂材料製である。例えば難燃材は、９４Ｖ−０相当である。このようにスリット２３の発光素子側端をシート５１により覆うことで、光源部３０の点灯時にスリット２３が影になることを防止でき、光束の低下を抑制できる。なお、シート５１として、白系統色（例えば白色、または乳白色）であり、光源部３０からの光を反射するものを用いることが、光源部３０の光束の低下を抑制する面からより好ましい。その他の構成及び作用は、図１〜図１１の構成、または図１３の構成と同様である。なお、本例の構成において、シート５１の代わりに、図１４で示した網部材５２が配置されてもよい。この場合も、網部材５２として、白系統色であり、光源部３０からの光を反射するものを用いることが、光源部３０の光束の低下を抑制する面からより好ましい。
【００５２】
図１９は、実施形態の別例の照明器具１１ｂにおいて、ＬＥＤ基板３１の一部を切断して示している図７に対応する図である。図２０は、図１９のＥ−Ｅ断面図である。なお、図１９では、ＬＥＤモジュール３２の図示を省略している。また、図１９では、斜線部により器具筐体１３及び照明筐体２１を示しており、砂地部によりＬＥＤグランド板３３を示している。
【００５３】
本例の構成では、銅等の金属材料により形成するＬＥＤグランド板３３が、照明筐体２１の表面において、照明筐体２１のスリット２３を囲うように配置される。これに伴って、ＬＥＤグランド板３３には、照明筐体２１の長手方向に長い長方形の窓部５４が形成される。この窓部５４は、図１９に示すようにスリット２３の全部を囲うように形成されるので、ＬＥＤグランド板３３がスリット２３に重なることがない。これにより、無線通信モジュール４０の無線通信性能の低下が抑制される。図１９では、ＬＥＤ基板３１からスリット２３が外部に露出されるように示しているが、これは説明を分かりやすくするためである。実際には図２０に示すようにＬＥＤ基板３１がＬＥＤグランド板３３の窓部５４を含めて、ＬＥＤグランド板３３の幅方向（図１９の上下方向）のほぼすべての部分を覆うようにＬＥＤ基板３１が配置される。このとき、ＬＥＤグランド板３３の窓部５４の内側にはＬＥＤ基板３１の一部が進入している。
【００５４】
上記の構成によれば、ＬＥＤグランド板３３の幅が大きくなる場合でも、無線通信モジュール４０の無線通信性能を高くできる。その他の構成及び作用は、図１〜図１１の構成と同様である。
【００５５】
図２１は、実施形態の別例の照明器具１１ｃにおいて、下側から見た透視図である。本例の照明器具１１ｃは、ほぼ正方形の矩形の光源配置部６０と、光源配置部６０を囲んで下側に四角錐状に広がって形成されたカバー６２とを備える。図２１では光源部のＬＥＤ基板及びＬＥＤモジュールの図示を省略しているが、ＬＥＤ基板は、光源配置部６０の下側（図２１の紙面の表側）に配置される。このとき、光源部では、例えばライン状光源が複数列に並んで配置される。各ライン状光源は、複数の発光素子を直線上でほぼ等間隔に配置して構成される。このような照明器具１１ｃは、スクエアタイプのベース照明と呼ばれる場合がある。
【００５６】
このとき、アンテナ４２を有する無線通信モジュールは、平板状の板部６４を含む金属部材６３の上側（図２１の紙面の裏側）に支持される。図２１では、無線通信モジュールのアンテナ４２以外の部分の図示を省略している。また、光源部は、板部６４の下側（図２１の紙面の表側）に固定される。光源部を構成するＬＥＤグランド板６５は、並んで配置された２つの長方形のグランド板素子６６を有する。金属部材６３には、その２つのグランド板素子６６の間の直線状の隙間に沿ってスリット６７が形成される。
【００５７】
また、アンテナ４２の直線状の根元部４２ａが、スリット６７の長手方向に対し直交する方向に、このスリット６７を横切るように金属部材６３の上側に配置される。ＬＥＤグランド板３３の下側にはスリット６７を覆うように、非金属材料製のＬＥＤ基板が配置されるか、または金属部材６３の下側にスリット６７を覆うシート５１（図１７、図１８参照）が配置される。照明器具１１ｃは、天井材（図示せず）の孔に埋め込んだ状態で、天井材に固定される。
【００５８】
上記の構成の場合には、金属部材６３に無線通信モジュールを支持する構成において、金属部材６３に形成されたスリット６７がアンテナ４２の励振方向（図２１の左右方向）に対し直交する方向に伸びている。これにより、無線通信モジュールから電波を効率よく金属部材６３から外側の空間へ放出できる。また、スリット６７から無線通信モジュール側への異物の進入は、電波透過部材としてのＬＥＤ基板、またはシート５１により防止できる。このため、照明器具１１ｃにおける無線通信性能を高くでき、かつ、金属部材６３より無線通信モジュール側への異物の進入を防止できる。
【００５９】
図２２は、実施形態の別例の照明器具１１ｄにおいて、下側から見た透視図である。本例の構成では、図１〜図１１の構成と同様に、ライン状光源を有する構成において、照明筐体２１の上側（図２２の紙面の裏側）に、照明筐体２１の長手方向に沿って長尺な無線通信モジュール６８が固定される。無線通信モジュール６８は、照明筐体２１の上側（図２２の紙面の裏側）において、照明筐体２１の幅方向中間部で長手方向に沿って長尺な樹脂部６９を含む。そして、この樹脂部６９に無線モジュール本体７０と、アンテナ４２と、無線モジュール本体７０及びアンテナ４２を接続する配線７１とが固定され一体化されている。無線モジュール本体７０は、制御部を有する。アンテナ４２は、プリント配線基板（図示せず）に波形状に形成され、樹脂部６９から幅方向一方側にはみ出して配置される。このアンテナ４２には、照明筐体２１に形成されたスリット２３が、照明筐体２１の上下方向（図２２の紙面の裏表方向）に対向する。アンテナ４２の励振方向は、スリット２３の方向に対し直交する。そして、照明筐体２１の下側において、スリット２３の下側を覆うようにシート５１が配置される。図２２では、シート５１を斜格子部で示している。このシート５１の構成は、図１３に示した構成と同様である。
【００６０】
上記の構成のように、アンテナ４２と、制御部を有する無線モジュール本体７０とが離れて配置される場合でも、アンテナ４２にスリット２３を対向させることで、無線通信性能を高くできる。その他の構成及び作用は、図１〜図１１の構成または図１３の構成と同様である。なお、図１〜図２１の構成において、本例の構成のように無線通信モジュール４０のうち、アンテナ４２にスリット２３を上下方向等、照明筐体２１等の金属部材の厚み方向に対向させることもできる。
【００６１】
なお、本開示に係る照明器具及び照明制御システムは、上述した実施形態及びその変形例に限定されるものではなく、本願の特許請求の範囲に記載された事項及びその均等な範囲内において種々の変更や改良が可能である。
【００６２】
例えば、上記の各例では、ＬＥＤモジュールが、金属配線を有するＬＥＤ基板の表面に配置された複数の発光素子である場合を説明したが、金属配線を有しない樹脂等の非金属材料製のＬＥＤ基板の表面に、ＬＥＤモジュールが配置されてもよい。この場合には、ＬＥＤモジュールは、金属配線が形成されたプリント基板とその表面に実装された複数の発光素子とを含んで構成される。
【００６３】
また、上記の各例では、アンテナがプリント配線基板に実装された場合について説明したが、アンテナは単一型のアンテナとしてもよい。
【００６４】
また、照明器具は、ライン状光源を有するものに限定せず、全体が円形であり、円環状に複数の発光素子が並んで配置された構成でも本開示の構成を適用できる。
【符号の説明】
【００６５】
１０  照明制御システム、１１，１１ａ，１１ｂ，１１ｃ、１１ｄ  照明器具、１２  器具本体、１３  器具筐体、１４  凹部、１５  天板部、１６  傾斜部、１７  キャップ、２０  照明装置、２１  照明筐体、２２  底板部、２３  スリット、２４  側壁部、２５  引っ掛け金具、３０  光源部、３１  ＬＥＤ基板、３２  ＬＥＤモジュール、３３  ＬＥＤグランド板、４０  無線通信モジュール、４２  アンテナ、４２ａ  根元部、４３  制御部、４４  プリント配線基板、４５  電源回路部、４７  透光カバー、４８  スリット、４９  第一直線部、５０  第二直線部、５１  シート、５２  網部材、５３  誘電体、５４  窓部、６０  光源配置部、６２  カバー、６３  金属部材、６４  板部、６５  ＬＥＤグランド板、６６  グランド板素子、６７  スリット、６８  無線通信モジュール、６９  樹脂部、７０  無線モジュール本体、７１  配線、１００  照明制御機器、１０１  操作部、１０２  制御装置、１０３  無線通信モジュール。
【図１】
2019022177.tif 000003
【図２】
2019022177.tif 000004
【図３】
2019022177.tif 000005
【図４】
2019022177.tif 000006
【図５】
2019022177.tif 000007
【図６】
2019022177.tif 000008
【図７】
2019022177.tif 000009
【図８】
2019022177.tif 000010
【図９】
2019022177.tif 000011
【図１０】
2019022177.tif 000012
【図１１】
2019022177.tif 000013
【図１２】
2019022177.tif 000014
【図１３】
2019022177.tif 000015
【図１４】
2019022177.tif 000016
【図１５】
2019022177.tif 000017
【図１６】
2019022177.tif 000018
【図１７】
2019022177.tif 000019
【図１８】
2019022177.tif 000020
【図１９】
2019022177.tif 000021
【図２０】
2019022177.tif 000022
【図２１】
2019022177.tif 000023
【図２２】
2019022177.tif 000024